(57)【特許請求の範囲】
【請求項１】
複数の物品を収容するカートンを形成する材料であって、該材料は、板紙又は繊維板からなる基部を有する第１の層と、絶縁材を有する第２の層と、第３の層と、前記第３の層を前記第２の層に貼り付ける少なくとも１つの接着層とを含む複数の層を備え、
前記第１の層は外層であり、前記第２の層は前記第１の層と前記第３の層との間に配置される内層であり、
前記複数の層のうちのいくつかの層は、それぞれ互いに重なって貼り付けられており、
前記第２の層の前記絶縁材は、スプレー接着剤であり、該スプレー接着剤は、前記第１の層の前記板紙又は繊維板に直接接触しているとともに、前記少なくとも１つの接着層に直接接触している、材料。
【請求項２】
前記絶縁材は、前記材料の前記第２の層を越える伝熱に抵抗する熱絶縁材料である、請求項１に記載の材料。
【請求項３】
前記第２の層の前記絶縁材は、前記複数の物品のうちの少なくとも１つの物品を保護するクッション特性を有する、請求項１に記載の材料。
【請求項４】
前記基部は、前記材料を少なくとも部分的に支持するように実質的に硬質である、請求項１に記載の材料。
【請求項５】
前記基部は、Ｅフルート繊維板である、請求項１に記載の材料。
【請求項６】
前記スプレー接着剤は、３１ｍｉｌ（７８７μｍ）の厚さの発泡材パッド構造を有するスプレー接着剤である、請求項１に記載の材料。
【請求項７】
前記第３の層は紙材料を含む、請求項１に記載の材料。
【請求項８】
前記紙材料はクラフト紙又は板紙である、請求項７に記載の材料。
【請求項９】
前記第３の層は、前記複数の物品のうちの少なくとも１つの物品と接触状態で位置付けられる、請求項１に記載の材料。
【請求項１０】
複数の物品を保持するカートンであって、該カートンは、少なくとも部分的に該カートンの内側の周囲に延在する少なくとも１つのパネルを備え、該少なくとも１つのパネルの少なくとも一部は、請求項１に記載の材料を含む、カートン。
【請求項１１】
前記基部は、Ｅフルート繊維板又は２２ポイント（５５９μｍ）の厚さのＳＵＳ（商標）板紙である、請求項１０に記載のカートン。
【請求項１２】
前記スプレー接着剤は、３１ｍｉｌ（７８７μｍ）の厚さの発泡材パッド構造を有するスプレー接着剤、８ｍｉｌ（２０３μｍ）の厚さのラベルストック構造を有するポリスチレンスプレー接着剤、又は１１ｍｉｌ（２７９μｍ）の厚さのラベルストック構造を有するポリスチレンスプレー接着剤である、請求項１０に記載のカートン。
【請求項１３】
前記第３の層はクラフト紙又は板紙である、請求項１０に記載のカートン。
【請求項１４】
前記第３の層は、前記複数の物品のうちの少なくとも１つの物品と接触状態で位置付けられる、請求項１０に記載のカートン。
【請求項１５】
複数の物品を保持するカートンを形成するブランクであって、該ブランクは、少なくとも１つのパネルを備え、該少なくとも１つのパネルの少なくとも一部は、請求項１に記載の材料を含む、ブランク。
【請求項１６】
前記基部は、Ｅフルート繊維板又は２２ポイント（５５９μｍ）の厚さのＳＵＳ（商標）板紙である、請求項１５に記載のブランク。
【請求項１７】
前記スプレー接着剤は、３１ｍｉｌ（７８７μｍ）の厚さの発泡材パッド構造を有するスプレー接着剤、８ｍｉｌ（２０３μｍ）の厚さのラベルストック構造を有するポリスチレンスプレー接着剤、又は１１ｍｉｌ（２７９μｍ）の厚さのラベルストック構造を有するポリスチレンスプレー接着剤である、請求項１５に記載のブランク。
【請求項１８】
前記第３の層はクラフト紙又は板紙である、請求項１５に記載のブランク。
【請求項１９】
前記第３の層は、前記複数の物品のうちの少なくとも１つの物品と接触状態で位置付けられる、請求項１５に記載のブランク。
【請求項２０】
複数の物品を保持するカートンを形成する方法であって、該方法は、
少なくとも１つのパネルを備えるブランクを得るステップであって、該ブランクの少なくとも一部は、請求項１に記載の材料を含む、ブランクを得るステップと、
前記少なくとも１つのパネルによって少なくとも部分的に画定される前記カートンの内側を形成するステップと、
を含む、方法。
【請求項２１】
前記スプレー接着剤は、３１ｍｉｌ（７８７μｍ）の厚さの発泡材パッド構造を有するスプレー接着剤、８ｍｉｌ（２０３μｍ）の厚さのラベルストック構造を有するポリスチレンスプレー接着剤、又は１１ｍｉｌ（２７９μｍ）の厚さのラベルストック構造を有するポリスチレンスプレー接着剤である、請求項２０に記載の方法。
【請求項２２】
前記カートンを形成するステップは、前記第３の層を、前記複数の物品のうちの少なくとも１つの物品と接触状態で位置付けるステップを含む、請求項２０に記載の方法。
【請求項２３】
複数の物品を収容するカートンを形成する材料であって、該材料は、
それぞれ互いに重なって貼り付けられる、少なくとも第１の層、第２の層、及び第３の層を含む複数の層であって、該第３の層は、少なくとも１つの接着層によって該第２の層に貼り付けられる、複数の層を備え、
前記第１の層は、外側層であるとともに、板紙又は繊維板からなる実質的に硬質の基部を有し、
前記第２の層は、中間層であるとともに、絶縁材を含み、該絶縁材は、スプレー接着剤であり、該スプレー接着剤は、前記第１の層の前記板紙又は繊維板に直接接触しているとともに、前記少なくとも１つの接着層に直接接触しており、
前記第３の層は、内側層であるとともに、該材料から形成される前記カートン内の前記複数の物品のうちの少なくとも１つの物品に接触する概して滑らかな内面を有する、材料。
【請求項２４】
前記第１の層は、前記材料から形成される前記カートンの概して滑らかな外面をもたらす、請求項２３に記載の材料。
【請求項２５】
前記第１の層は印刷可能な表面を有する、請求項２３に記載の材料。
【請求項２６】
前記基部は、Ｅフルート繊維板又は２２ポイント（５５９μｍ）の厚さのＳＵＳ（商標）板紙である、請求項２３に記載の材料。
【請求項２７】
前記スプレー接着剤は、３１ｍｉｌ（７８７μｍ）の厚さの発泡材パッド構造を有するスプレー接着剤、８ｍｉｌ（２０３μｍ）の厚さのラベルストック構造を有するポリスチレンスプレー接着剤、又は１１ｍｉｌ（２７９μｍ）の厚さのラベルストック構造を有するポリスチレンスプレー接着剤である、請求項２３に記載の材料。
【請求項２８】
前記第３の層はクラフト紙又は板紙である、請求項２３に記載の材料。
【発明の詳細な説明】
【技術分野】
【０００１】
本開示は、包括的には、カートンを製造する材料に関し、より詳細には、複数の物品を包むカートン等のカートン向けの絶縁特性及び／又は保護特性を有する材料に関する。
【０００２】
［関連出願の相互参照］
本願は、２０１２年８月２４日に出願された米国仮特許出願第６１／７４３０３３号の利益を主張する。
【０００３】
［参照による援用］
２０１２年８月２４日に出願された米国仮特許出願第６１／７４３０３３号の開示は、それらの全体が本明細書に提示されているかのように、全ての目的で引用することにより本明細書の一部をなす。
【発明の概要】
【０００４】
包括的に、本開示の１つの態様は、複数の物品を収容するカートンを形成する材料に関する。本材料は、基部を有する第１の層及び絶縁材を有する第２の層を含む複数の層を備えることができる。第１の層は外層とすることができ、第２の層は内層とすることができる。複数の層のうちのいくつかの層は、それぞれ互いに重なって貼り付けることができる。
【０００５】
別の態様において、本開示は、包括的に、複数の物品を保持するカートンに関する。本カートンは、少なくとも部分的にカートンの内側の周囲に延在する少なくとも１つのパネルを備えることができる。少なくとも１つのパネルの少なくとも一部は、上述の材料を含むことができる。
【０００６】
別の態様において、本開示は、包括的に、複数の物品を保持するカートンを形成するブランクに関する。本ブランクは、少なくとも１つのパネルを備えることができる。少なくとも１つのパネルの少なくとも一部は、上述の材料を含むことができる。
【０００７】
別の態様において、本開示は、包括的に、複数の物品を保持するカートンを形成する方法に関する。本方法は、少なくとも１つのパネルを備えるブランクを得るステップを含むことができる。ブランクの少なくとも一部は、上述の材料を含むことができる。本方法は、少なくとも１つのパネルによって少なくとも部分的に画定されるカートンの内側を形成するステップを更に含むことができる。
【０００８】
別の態様において、本開示は、包括的に、複数の物品を収容するカートンを形成する材料に関する。本材料は、少なくとも第１の層、第２の層、及び第３の層を含む複数の層を備えることができる。第１の層、第２の層、及び第３の層は、それぞれ互いに重なって貼り付けることができる。第１の層は、外側層とすることができるとともに、実質的に硬質の基部を有することができ、第２の層は、中間層とすることができるとともに、絶縁材を含むことができる。第３の層は、内側層とすることができるとともに、上記材料から形成されるカートン内の複数の物品のうちの少なくとも１つの物品に接触する概して滑らかな内面を有することができる。
【０００９】
当業者は、添付図面を参照して実施の形態の以下の詳細な説明を読むことによって、上記の利点、並びに種々の更なる実施の形態の他の利点及び利益を理解するであろう。
【００１０】
慣例によれば、以下で説明する図面の種々の特徴は、必ずしも一定の縮尺比で描かれているとは限らない。図面における種々の特徴及び要素の寸法は、本開示の実施の形態をより明確に示すために拡大又は縮小されている場合がある。
【図面の簡単な説明】
【００１１】
【図１】本開示の１つの実施の形態に係るカートンを形成するのに用いられるブランクの平面図である。
【図２】本開示の１つの実施の形態に係るカートンの等角図である。
【図３】図１のブランク及び図２のカートンを形成するのに用いられる材料の概略断面図である。
【図４】図３と同様であるが、図１のブランク及び図２のカートンを形成するのに用いられる材料の代替的な一実施の形態を示す概略断面図である。
【発明を実施するための形態】
【００１２】
対応する部分は、図面を通して対応する参照符号によって示されている。
【００１３】
本開示は、包括的には、容器、瓶、缶等のような物品を収容するカートンに関する。それらの物品は、例えば、食品及び飲料製品を包装するのに用いることができる。これらの物品は、特定の食品又は飲料品を包装するのに適した組成の材料から作ることができ、材料として、アルミニウム及び／又は他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、又はそれらの任意の組み合わせが挙げられるが、これらに限定されない。
【００１４】
本開示に係るカートンは、任意の形状の物品を収容することができる。本開示の範囲を限定するためではなく説明のために、以下の詳細な説明では、カートンの実施の形態に入れられるような飲料容器（例えば、金属飲料缶又は飲料ボトル）について記載する。本明細書において、「下」、「ボトム」、「上」、及び「トップ」という用語は、完全に組み立てられて直立したカートンに関して定められる向きを示す。
【００１５】
図１は、本開示の１つの例示的な実施の形態に係るカートン５（図２）を形成するのに用いられる、全体として３で示されているブランクの平面図である。カートン５は、飲料容器等の複数の物品を収容するのに用いることができる。図示の実施の形態では、カートン５は、１２個の容器を一層に３×４の配列で収容するようなサイズになっているが、カートン５は、異なる数量又は同じ数量の容器を２つ以上の層に及び／又は異なる行／列配列（例えば、３×８、４×６、３×６、１×６、２×６×２、３×４×２、２×９、２×６等）で保持するようなサイズ及び形状にしてもよいことが理解される。図３の部分断面図に示されているように、ブランクは、第１の（外側）層７、第２の（中間）層９、及び第３の（内側）層１１を備える材料６（例えば、複合材料）を含む。以下でより詳細に検討されるように、第１の層７は、カートン５に剛性、及び滑らかな印刷用外面をもたらす板紙等の実質的に硬質の材料層（例えば、基部材料又は支持材料）を含むことができる。１つの実施の形態において、第１の層７は材料６の基部である。第２の層９は、容器の温度を維持するとともに、また、容器を破損しないように絶縁（保護）する発泡材等の絶縁材料及び／又は保護材料（例えば、絶縁材）を含むことができる。第３の層１１は、カートン５に装填する際に容器が摺動するように滑らかな内面をもたらす紙又は薄い板紙等の材料を含むことができる。層７、９、１１は、本開示から逸脱することなく他の好適な材料を含むことができる。
【００１６】
１つの実施の形態において、ブランク３は縦軸ＬＩ及び横軸Ｌ２を有する。図示の実施の形態では、ブランク３は、第１の横折り線２１において第１のサイドパネル２０に折り曲げ可能につながっているボトムパネル１０と、第２の横折り線３１において第１のサイドパネル２０に折り曲げ可能につながっている第１のトップパネル３０と、第３の横折り線４１においてボトムパネル１０に折り曲げ可能につながっている第２のサイドパネル４０と、第４の横折り線５１において第２のサイドパネル４０に折り曲げ可能につながっている第２のトップパネル５０とを備える。図示の実施の形態では、第１のトップパネル３０及び第２のトップパネル５０は、少なくとも部分的に重なって接着され、ハンドル２１が形成されているカートン５の頂壁を形成する。代替的に、本開示の範囲から逸脱することなく、カートン５の頂壁を単一のトップパネルによって形成することができる。
【００１７】
ボトムパネル１０は、第１のボトム端部フラップ１２及び第２のボトム端部フラップ１４に折り曲げ可能につながっている。第１のサイドパネル２０は、第１のサイド端部フラップ２２及び第２のサイド端部フラップ２４に折り曲げ可能につながっている。第１のトップパネル３０は、第１のトップ端部フラップ３２及び第２のトップ端部フラップ３４に折り曲げ可能につながっている。第２のサイドパネル４０は、第１のサイド端部フラップ４２及び第２のサイド端部フラップ４４に折り曲げ可能につながっている。第２のトップパネル５０は、第１のトップ端部フラップ４６及び第２のトップ端部フラップ４８に折り曲げ可能につながっている。
【００１８】
カートン５が組み立てられると、端部フラップ１２、２２、３２、４２、４６はカートンの第１の端部５１を閉鎖し、端部フラップ１４、２４、３４、４４、４８はカートンの第２の端部５３を閉鎖する。本開示の代替的な一実施の形態に従って、カートン５の端部５１、５３を閉鎖するのに種々のフラップ配列を用いることができる。
【００１９】
端部フラップ１２、２２、３２、４２、及び４６は、ブランク３の第１の辺縁領域にわたって延在するとともに、ブランクの長さに沿って延在する第１の縦折り線６２において折り曲げ可能につながっている。端部フラップ１４、２４、３４、４４、及び４８は、ブランク３の第２の辺縁領域にわたって延在するとともに、またブランクの長さに沿って延在する第２の縦折り線６４において折り曲げ可能につながっている。縦折り線６２、６４は、例えば、略真っ直ぐであるか、又はブランクの厚さ若しくは他の要因のために１つ又は複数の場所においてずれていてもよい。
【００２０】
図１に示されているように、カートン５のハンドル２１は、第１のトップパネル３０及び第２のトップパネル５０の機能部から形成される。ハンドル２１の機能部は、第１のトップパネル３０において細長いハンドル開口６７と、第２のトップパネル５０において細長いハンドル開口６９とを有する。ハンドル２１はハンドル開口６７、６９とは異なる機能部によって形成することができる。本開示から逸脱することなく、ハンドル開口は別様な形状、構成、及び／又は形態にすることができるか、又はハンドルを省略することができる。
【００２１】
図示の実施の形態では、ブランク３は、端部フラップ２４の開口７１を含む表示機能部を有する。ブランク３は、端部フラップ２２及び第１のサイドパネル２０のディスペンサーパネル７３と、端部フラップ４２及び第２のサイドパネル４０のディスペンサーパネル７５を含むディスペンサー機能部を備える。ブランク３及び／又はカートン５は、本開示から逸脱することなく他の表示機能部、ディスペンサー機能部、又は他の機能部を有することができる。
【００２２】
実施例１乃至実施例３（Ｅフルートの第１の層）
本開示の種々の実施の形態（実施例１乃至３）において、ブランク３及びカートン５は、第１の（外側）層７を有する材料６を含み、第１の（外側）層７は、当該技術分野において既知の任意の好適な供給業者から市販されているＥフルート段ボール（corrugated fiberboard：波形繊維板）材料である。実施例１乃至３において、第２の（中間）層９は、以下の表において詳述されるスプレー接着剤であり、第３の（内側）層１１は、当該技術分野において既知の任意の好適な供給業者から市販されている４０ｌｂ（１８ｋｇ）のクラフト紙である。３つの層７、９、１１はともに積層され、本開示の種々の実施の形態の材料を形成する。「外側」及び「内側」という用語は、形成されたカートン５に対して用いられ、ここで、内側層１１はカートンの内側に隣接し、外側層７は、製品情報を印刷するのに好適なカートンの外面を含む。
【００２３】
【表１】
0006444870.tif 000002
【００２４】
実施例４乃至実施例６（板紙の第１の層）
本開示の種々の実施の形態（実施例４乃至６）において、ブランク３及びカートン５は、第１の（外側）層７を有する材料６を含み、第１の（外側）層７は、Graphic Packaging International社から市販されている２２ポイント（５５９μｍ）のＳＵＳ（商標）板紙である。実施例４乃至６において、第２の（中間）層９は、以下の表において詳述されるスプレー接着剤であり、第３の（内側）層１１は、当該技術分野において既知の任意の好適な供給業者から市販されている４０ｌｂ（１８ｋｇ）のクラフト紙である。３つの層７、９、１１はともに積層され、本開示の種々の実施の形態の材料を形成する。
【００２５】
【表２】
0006444870.tif 000003
【００２６】
実施例７及び実施例８（膨張可能な第２の層）
本開示の種々の実施の形態（実施例７及び実施例８）において、ブランク３及びカートン５は、第２の（中間）層９を有する材料６を含み、第２の（中間）層９は、AkzoNobel社から市販されているＥＸＰＡＮＣＥＬ（商標）４６１ＤＵ２０乾燥未膨張マイクロスフィア等の膨張可能コーティング材料である。実施例７及び実施例８において、第１の（外側）層７は、実施例４乃至６におけるような２２ポイント（５５９μｍ）のＳＵＳ（商標）板紙、又は実施例１乃至３におけるようなＥフルート段ボールである。実施例７及び実施例８において、第３の（内側）層１１は、当該技術分野において既知の任意の好適な供給業者から市販されている４０ｌｂ（１８ｋｇ）のクラフト紙である。第３の層１１は、１１ｍｉｌ（２７９μｍ）のポリスチレンラベルストックスプレー接着剤を含むことができる任意選択の第４の層１２によって第２の層に貼り付けることができる。４つの層７、９、１１、１２はともに積層され、本開示の種々の実施の形態の材料を形成する。
【００２７】
【表３】
0006444870.tif 000004
【００２８】
１つの実施の形態において、実施例１及び４の発泡材パッド接着剤は、ウィスコンシン州プレザントプレーリー所在のULine Shipping Supply Specialists社から品番Ｓ−１２５７５Ｐとして市販されている１／３２ｉｎ（０．０１７ｍｍ）の有孔発泡材ロール、又は任意の他の好適な製造業者若しくは供給業者から入手可能な任意の他の好適な発泡材接着剤を含む。１つの実施の形態において、実施例２、実施例３、実施例５、実施例６、実施例７、及び実施例８のポリスチレンラベルストックスプレー接着剤は、ニューヨーク州フェアポート所在のWeb Resources International, Inc.社から入手可能な８ｍｉｌ（２０３μｍ）又は１１ｍｉｌ（２７９μｍ）の厚さのポリスチレンラベルストック材料、又は任意の他の好適な製造業者若しくは供給業者から入手可能な任意の他の好適な材料を含む。
【００２９】
図４は、本開示の代替的な一実施の形態を示している。ここでは、ブランク３及びカートン５は、５つの層を有する材料６を含み、第１の（外側）層７、第２の（中間）層９、第３の（内側）層１１は、実施例１乃至８に関して上述したそれぞれの層と同一又は同様である。第４の層１２は、実施例７及び実施例８に関して上述したように、接着剤を含むことができる。図４の実施の形態では、接着剤である第５の層１４は、第１の層７と第２の層９との間にある。１つの実施の形態において、第５の層１４は、実施例２、実施例３、実施例５、実施例６、実施例７において用いられている材料と同様のポリスチレンラベルストックスプレー接着剤とすることができるか、又は、第５の層は、本開示の範囲から逸脱することなく、他の材料を含むことができる。第４の層１２及び第５の層１４のうちの一方又は双方は、第１の層７、第２の層９、及び第３の層１１に関して上述した材料の組合せのうちの任意の組合せで、材料６において用いることができる。第４の層１２及び第５の層１４は、本開示から逸脱することなく、同じか又は異なる材料とすることができる。
【００３０】
１つの実施の形態において、層７、９、１１は、任意の好適なプロセス（例えば、積層、押出等）によって材料６に形成することができる。層７、９、１１のうちの１つ又は複数は、任意の好適な接着剤（例えば、接着層１２、１４）又は任意の他の好適な貼付機構によって隣接する層に貼り付けることができる。材料６は、本開示から逸脱することなく、任意の他の好適なプロセスによって形成することができるとともに、任意の好適な材料を有することができる。
【００３１】
本開示の材料６は、複数の飲料容器を収容するブランク３又はカートン５において用いることができる。代替的に、材料６は、種々の基板、ブランク、カートン、他の好適な容器、及び／又は任意の好適な構造体を形成するのに用いることができる。材料６は、発泡材又は他の材料等の絶縁材料の内層９を有する多層積層体とすることができる。本開示の材料６は、カートン５又はブランク３に絶縁特性をもたらし、飲料容器が消費前に冷温に維持される場合等に、カートン内の容器の温度が維持されるようになっている。また、材料６は、容器を保護する保護特性を有し、カートン５内にパッケージ化されている容器の破損又は損傷を防ぐことができる。本材料は、材料層７、９、１１、１２、１４のうちの１つ若しくは複数を、従来の積層プロセスによりともに積層することによって形成することができるか、又は、上記材料層は、本開示から逸脱することなく、他のプロセスによって形成若しくは貼付けすることができる。
【００３２】
本開示の前述の説明は、種々の実施の形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施の形態の種々の変更形態、組合せ、変形形態等をカバーする。加えて、本開示は、本開示の選択された実施の形態のみを図示及び説明しているが、本開示は、種々の他の組合せ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施の形態の或る特定の機能部及び特徴を、選択的に入れ替えて、本開示の他の説明された実施の形態及び説明されていない実施の形態に適用することができる。
【図１】
0006444870.tif 000005
【図２】
0006444870.tif 000006
【図３】
0006444870.tif 000007
【図４】
0006444870.tif 000008